(57)【特許請求の範囲】
【請求項１】
先端に網が取り付けられた内柄部が、筒状の外柄部の中に直接、または筒状の中間柄部を介してスライド自在に収納されて、これらの各柄部で形成される柄が伸縮可能とされ、前記外柄部の中にスライド自在に収納される内柄部の先端部を、外柄部の先端部に係止する手段が設けられたたも網において、前記内柄部の先端部に外向きの鍔を設け、前記外柄部の先端部の外径面側に、前記外向きの鍔を軸方向に係止する鉤を前端側に有する鉤部材を、外方から回動するように枢着し、この鉤部材の枢着軸に、枢着軸と直交方向へ鉤部材に沿って前後方向へ移動し、前方へ移動したときに鉤部材と一体に回動し、後方へ移動したときに鉤部材の外方への回動をロックするロック部材を取り付けたことを特徴とするたも網。
【請求項２】
前記外柄部の外径面側を向く前記鉤部材の下面側に、前記外方への回動を許容する逃げ面を前記枢着軸よりも後端側で設けて、この鉤部材の下面側から上面側へ貫通し、その前後方向に延びるガイド孔を設け、前記ロック部材を前記鉤部材の上面側に前後方向へ沿わせて、その下面側で前記鉤部材の回動を拘束するように配設して、このロック部材の下面側に前記ガイド孔に挿入されて前後方向へ案内されるガイド部を突設し、このガイド部に前記枢着軸が嵌挿され、枢着軸と直交方向に延びる長孔を設け、前記ロック部材が前方へ移動したときは、前記ガイド部の下端面が前記鉤部材の逃げ面から下方へ突出せずに、ロック部材が鉤部材と一体に回動するようにし、前記ロック部材が後方へ移動したときに、前記ガイド部の下端面が前記鉤部材の逃げ面よりも下方へ突出して、ロック部材自体の回動、および前記ロック部材の下面側で拘束される鉤部材の回動がロックされるようにした請求項１に記載のたも網。
【請求項３】
前記内柄部の先端部に設けた鍔に円周方向へ連なる歯型を設け、前記鉤部材の鉤の後側に、前記鍔が鉤で軸方向に係止されたときに、前記歯型と係合する歯を設け、前記鉤部材の回動がロックされていないときに、この鉤部材の歯が前記歯型を１つずつ乗り越えるように、前記内柄部を前記外柄部に対して相対回転させて、内柄部の相対回転位置を位置決めし、前記鉤部材の回動がロックされたときは、この内柄部の相対回転位置が固定されるようにした請求項１または２に記載のたも網。
【発明の詳細な説明】
【技術分野】
【０００１】
本発明は、柄が伸縮可能なたも網に関する。
【背景技術】
【０００２】
柄が伸縮可能なたも網は、先端に網が取り付けられた内柄部が、筒状の外柄部の中に直接、または筒状の中間柄部を介してスライド自在に収納されて、これらの各柄部で形成される柄が伸縮可能とされたものが多い。
【０００３】
このようなたも網には、持ち運び用等に縮めた柄が勝手に伸びないように、筒状の外柄部の先端部を内柄部の先端部に設けた太径のボスに嵌め込み、内柄部の先端部を外柄部の先端部に係止するようにしたものがある（例えば、特許文献１参照）。内柄部の先端部のボスを別体のゴム部材で形成したものもある。
【０００４】
なお、たも網には、柄の先端に取り付けられた網の網枠を柄側に回動させるように折り畳み、コンパクトに持ち運び可能としたものもある（例えば、特許文献２参照）。特許文献２に記載されたものでは、網枠自体もコンパクトに折り畳み可能としている。
【０００５】
【特許文献１】登録実用新案第３０８１９３６号公報
【特許文献２】特開平８−１１６８２７号公報
【発明の開示】
【発明が解決しようとする課題】
【０００６】
特許文献１に記載されたように、筒状の外柄部の先端部を内柄部の先端部に設けたボスに嵌め込んで、内柄部の先端部を外柄部の先端部に係止したたも網は、柄を伸ばすときに、両方の手で内柄部と外柄部を別々に持って、外柄部の先端部と内柄部の先端部のボスとの嵌合を外す必要があり、釣竿に獲物が掛かったときのように、片手が釣竿等で塞がっているときに、片手で柄を伸ばすことができない問題がある。なお、外柄部の先端部と内柄部のボスとの嵌合を緩くすれば、この嵌合を片手で外せないこともないが、持ち運び時等にこの嵌合が外れる恐れがあり、外柄部に収納された内柄部、または内柄部と中間柄部が突然抜け出る危険がある。
【０００７】
このため、通常は、釣り場で前もってたも網の柄を伸ばした状態で釣りを行なっており、長く伸ばされたたも網の柄が本人の作業はもとより、他人の作業や通行の邪魔になることがある。また、前もって柄が伸ばされたたも網は、釣竿に掛かった獲物に差し出す操作が難しい。
【０００８】
そこで、本発明の課題は、内柄部の先端部を外柄部の先端部に確実に係止でき、かつ、この係止を片手で簡単に外して柄を伸ばすことができるたも網を提供することである。
【課題を解決するための手段】
【０００９】
上記の課題を解決するために、本発明は、先端に網が取り付けられた内柄部が、筒状の外柄部の中に直接、または筒状の中間柄部を介してスライド自在に収納されて、これらの各柄部で形成される柄が伸縮可能とされ、前記外柄部の中にスライド自在に収納される内柄部の先端部を、外柄部の先端部に係止する手段が設けられたたも網において、前記内柄部の先端部に外向きの鍔を設け、前記外柄部の先端部の外径面側に、前記外向きの鍔を軸方向に係止する鉤を前端側に有する鉤部材を、外方から回動するように枢着し、この鉤部材の枢着軸に、枢着軸と直交方向へ鉤部材に沿って前後方向へ移動し、前方へ移動したときに鉤部材と一体に回動し、後方へ移動したときに鉤部材の外方への回動をロックするロック部材を取り付けた構成を採用した。
【００１０】
すなわち、内柄部の先端部に外向きの鍔を設け、外柄部の先端部の外径面側に、外向きの鍔を軸方向に係止する鉤を前端側に有する鉤部材を、外方から回動するように枢着し、この鉤部材の枢着軸に、枢着軸と直交方向へ鉤部材に沿って前後方向へ移動し、前方へ移動したときに鉤部材と一体に回動し、後方へ移動したときに鉤部材の外方への回動をロックするロック部材を取り付けることにより、ロック部材を後方へ移動させて、内柄部の先端部を外柄部の先端部に確実に係止できるようにし、かつ、ロック部材を前方へ移動させて、鉤部材と一体に回動させ、この係止を片手で簡単に外して柄を伸ばすことができるようにした。
【００１１】
前記外柄部の外径面側を向く前記鉤部材の下面側に、前記外方への回動を許容する逃げ面を前記枢着軸よりも後端側で設けて、この鉤部材の下面側から上面側へ貫通し、その前後方向に延びるガイド孔を設け、前記ロック部材を前記鉤部材の上面側に前後方向へ沿わせて、その下面側で前記鉤部材の回動を拘束するように配設して、このロック部材の下面側に前記ガイド孔に挿入されて前後方向へ案内されるガイド部を突設し、このガイド部に前記枢着軸が嵌挿され、枢着軸と直交方向に延びる長孔を設け、前記ロック部材が前方へ移動したときは、前記ガイド部の下端面が前記鉤部材の逃げ面から下方へ突出せずに、ロック部材が鉤部材と一体に回動するようにし、前記ロック部材が後方へ移動したときに、前記ガイド部の下端面が前記鉤部材の逃げ面よりも下方へ突出して、ロック部材自体の回動、および前記ロック部材の下面側で拘束される鉤部材の回動がロックされるようにすることにより、ロック部材の前後方向への移動と回動を、外柄部を把持する片手の指で簡単に操作することができる。
【００１２】
前記内柄部の先端部に設けた鍔に円周方向へ連なる歯型を設け、前記鉤部材の鉤の後側に、前記鍔が鉤で軸方向に係止されたときに、前記歯型と係合する歯を設け、前記鉤部材の回動がロックされていないときに、この鉤部材の歯が前記歯型を１つずつ乗り越えるように、前記内柄部を前記外柄部に対して相対回転させて、内柄部の相対回転位置を位置決めし、前記鉤部材の回動がロックされたときは、この内柄部の相対回転位置が固定されるようにすることにより、柄の先端に取り付けられた網の網枠を柄側に回動させるように折り畳むものでは、持ち運びの際に網枠を所定の方向に折り畳み、この折り畳んだ網枠が柄の回りに回転しないように保持することができる。
【発明の効果】
【００１３】
本発明のたも網は、内柄部の先端部に外向きの鍔を設け、外柄部の先端部の外径面側に、外向きの鍔を軸方向に係止する鉤を前端側に有する鉤部材を、外方から回動するように枢着し、この鉤部材の枢着軸に、枢着軸と直交方向へ鉤部材に沿って前後方向へ移動し、前方へ移動したときに鉤部材と一体に回動し、後方へ移動したときに鉤部材の外方への回動をロックするロック部材を取り付けたので、ロック部材を後方へ移動させて、内柄部の先端部を外柄部の先端部に確実に係止でき、かつ、ロック部材を前方へ移動させて、鉤部材と一体に回動させ、この係止を片手で簡単に外して柄を伸ばすことができる。
【００１４】
前記外柄部の外径面側を向く鉤部材の下面側に、外方への回動を許容する逃げ面を枢着軸よりも後端側で設けて、この鉤部材の下面側から上面側へ貫通し、その前後方向に延びるガイド孔を設け、前記ロック部材を鉤部材の上面側に前後方向へ沿わせて、その下面側で鉤部材の回動を拘束するように配設して、このロック部材の下面側にガイド孔に挿入されて前後方向へ案内されるガイド部を突設し、このガイド部に枢着軸が嵌挿され、枢着軸と直交方向に延びる長孔を設け、ロック部材が前方へ移動したときは、ガイド部の下端面が鉤部材の逃げ面から下方へ突出せずに、ロック部材が鉤部材と一体に回動するようにし、ロック部材が後方へ移動したときに、ガイド部の下端面が鉤部材の逃げ面よりも下方へ突出して、ロック部材自体の回動、およびロック部材の下面側で拘束される鉤部材の回動がロックされるようにすることにより、ロック部材の前後方向への移動と回動を、外柄部を把持する片手の指で簡単に操作することができる。
【００１５】
前記内柄部の先端部に設けた鍔に円周方向へ連なる歯型を設け、前記鉤部材の鉤の後側に、鍔が鉤で軸方向に係止されたときに、歯型と係合する歯を設け、鉤部材の回動がロックされていないときに、この鉤部材の歯が歯型を１つずつ乗り越えるように、内柄部を外柄部に対して相対回転させて、内柄部の相対回転位置を位置決めし、鉤部材の回動がロックされたときは、この内柄部の相対回転位置が固定されるようにすることにより、柄の先端に取り付けられた網の網枠を柄側に回動させるように折り畳むものでは、持ち運びの際に網枠を所定の方向に折り畳み、この折り畳んだ網枠が柄の回りに回転しないように保持することができる。
【発明を実施するための最良の形態】
【００１６】
以下、図面に基づき、本発明の実施形態を説明する。このたも網は、図１に示すように、柄１が内柄部１ａと複数の中間柄部１ｂと外柄部１ｃとからなり、先端に網２の網枠２ａが取り付けられた内柄部１ａが、複数の筒状の中間柄部１ｂを介して、筒状の外柄部１ｃの中に直接スライド自在に収納されるようになっており、柄１が伸縮可能とされている。また、網枠２ａは、後述する折り畳み機構部２０を介して内柄部１ａの先端に取り付けられており、柄１側に回動されて折り畳まれ、円形の枠自体も折り畳まれるようになっている。
【００１７】
図２（ａ）、（ｂ）に示すように、前記内柄部１ａの先端部には、外向きで円周方向へ連なる歯型３ａが設けられた鍔３ｂを有する鍔部材３が、スリーブ４を介して外嵌固定されている。また、外柄部１ｃの先端部には、鉤部材５とロック部材６が枢着された筒状のブラケット部材７が、スリーブ８を介して外嵌固定されている。ブラケット部材７の後端側には、持ち運び用の引掛け片９も取り付けられている。
【００１８】
図３に示すように、前記ブラケット部材７は、一対の平行なブラケット部７ａに枢着軸１０が差し渡され、枢着軸１０に枢着孔１１で枢着される鉤部材５の下面が、ブラケット部７ａの間のベース面７ｂに当接されるようになっている。鉤５ａを前向きにして枢着される鉤部材５は、枢着軸１０に装着されるねじりばね１２で、前端側の鉤５ａが下方へ回動する方向に付勢される。また、ブラケット部材７の前端側には、鍔部材３の鍔３ａが収納される筒部７ｃが設けられている。
【００１９】
図４（ａ）、（ｂ）に示すように、前記鉤部材５は、前端側の下向きの鉤５ａの後側に、前記鍔３ｂの歯型３ａと噛み合う歯５ｂが設けられ、ブラケット部材７のベース面７ｂに当接される下面には、枢着孔１１よりも後端側で、鉤部材５の前端側の上方への回動を許容する逃げ面５ｃが設けられている。また、鉤部材５には、下面から上面に貫通し、前後方向に延びるロック部材６のガイド孔５ｄが設けられるとともに、ねじりばね１２が収納される凹部１２ａと、ロック部材６の前後移動位置を位置決めするための位置決めボール１３を付勢するコイルばね１４が収納される穴１４ａも設けられている。
【００２０】
前記ロック部材６は下面側にガイド部６ａが突設され、このガイド部６ａが鉤部材５のガイド孔５ｄに挿入されて、前後方向への移動を案内されるようになっており、ガイド部６ａには、枢着孔１１が嵌挿され、枢着軸１０と直交方向に延びる長孔６ｂが設けられ、ガイド部６ａの下端面の後端側には逃げ面６ｃが設けられている。この逃げ面６ｃは、ロック部材６が前方へ移動したときに、鉤部材５の逃げ面５ｃと同じ高さになる。また、ロック部材６の上面には、指でロック部材６を前後方向に移動させるときの引っ掛かりとなるように、中央から前後両側へ下る複数の段差６ｄが設けられ、ロック部材６の下面には、前後の各移動位置で位置決めボール１３が嵌まり込む凹部６ｅが、前後方向へ２つ並べて設けられている。
【００２１】
図５（ａ）に示すように、前記ロック部材６を前方へ移動させ、位置決めボール１３が後側の凹部６ｅに嵌まり込むと、ロック部材６の逃げ面６ｃが鉤部材５の逃げ面５ｃと同じ高さになる。したがって、ロック部材６の後端側を下方へ押圧することにより、鉤部材５とロック部材６を一体に枢着孔１１の回りに回動させ、鉤部材５の鉤５ａを上方に逃がして、鍔部材３の鍔３ｂを解放し、図１に示したように、外柄部１ｃに収納された内柄部１ａおよび各中間柄部１ｂを前方へ抜き出して、簡単に柄１を伸ばすことができる。
【００２２】
また、図５（ｂ）に示すように、前記ロック部材６を後方へ移動させ、位置決めボール１３が前側の凹部６ｅに嵌まり込むと、逃げ面６ｃが設けられたガイド部６ａの下端面が、鉤部材５の逃げ面５ｃよりも下方へ突出し、ロック部材６自体の枢着孔１１の回りの回動と、ロック部材６の下面で拘束された鉤部材５の回動とがロックされる。したがって、鍔部材３の鍔３ｂが鉤部材５の鉤５ａによって確実に係止される。
【００２３】
図６（ａ）、（ｂ）に示すように、前記鉤部材５の歯５ｂは鍔３ｂの歯型３ａと噛み合い、図５（ａ）に示したように、鉤部材５の回動が許容された状態では、歯５ｂが歯型３ａを１つずつ乗り越える。したがって、内柄部１ａを外柄部１ｃに対して相対回転させて、内柄部１ａの回転位置を位置決めすることができる。内柄部１ａの回転位置を位置決めしたあとは、図５（ｂ）に示したように、鉤部材５の回動をロックして、位置決めした内柄部１ａの回転位置を固定することができる。
【００２４】
図７に示すように、前記折り畳み機構部２０は、筒状の内柄部１ａの先端に螺子で連結された柄連結部材２１と、網枠２ａの両端部に連結され、柄連結部材２１の傾斜カム面２１ａに沿って回動軸２１ｂの回りに回動可能な左右一対の枠連結部材２２と、柄連結部材２１の軸部２１ｃに外嵌されて、コイルばね２３で前方へ付勢され、各枠連結部材２２のアーム部２２ａを係止して、一対の枠連結部材２２に連結された網枠２ａが前方に拡げられた状態に、各枠連結部材２２の回動位置をロックするロック部材２４とからなる。
【００２５】
前記コイルばね２３で付勢されたロック部材２４を後方へ引き戻すことにより、図８に示すように、一対の枠連結部材２２を回動させて、これらに連結された網枠２ａを柄１側へ折り畳むことができ、このとき、４分割されてヒンジ２ｂで連結された網枠２ａ自身も瓢箪形にコンパクトに折り畳まれる。なお、一対の枠連結部材２２は両方向に回動させることができ、網枠２ａは反対側に折り畳むこともできる。また、折り畳んだ網枠２ａは、前方へ回動させるのみで、共に回動する各枠連結部材２２のアーム部２２ａが、ロック部材２４を後方へ押し下げて自然に係止され、このとき、各枠連結部材２２が傾斜カム面２１ａで案内されて、各枠連結部材２２に連結された網枠２ａも自然に円形に拡がる。
【００２６】
前記たも網を持ち運んだり、収納したりするとき等は、図８に示したように、網枠２ａは柄１の引掛け片９と反対側に折り畳まれ、引掛け片９を背中や収納具等に引掛ける。したがって、網枠２ａが取り付けられた内柄部１ａの、引掛け片９が取り付けられた外柄部１ｃに対する相対回転位置は、網枠２ａの回動面内に引掛け片９が存在するように固定される。
【図面の簡単な説明】
【００２７】
【図１】たも網の実施形態を示す外観斜視図
【図２】ａは図１の内柄部を外柄部に収納した状態の柄の先端部を示す切欠き正面図、ｂはａの左側面図
【図３】図２の柄の先端部の部材の分解斜視図
【図４】ａ、ｂは、それぞれ図３の鉤部材とロック部材の上面側からと下面側からの分解斜視図
【図５】ａ、ｂは、それぞれ図２の鉤部材とロック部材の作動を説明する切欠き正面図
【図６】ａは図５（ａ）の内柄部を回転させる状態を示す切欠き正面図、ｂはａの左側面図
【図７】図１の折り畳み機構部を示す切欠き正面図
【図８】図１の網枠を折り畳んだ状態を示す正面図
【符号の説明】
【００２８】
１  柄
１ａ  内柄部
１ｂ  中間柄部
１ｃ  外柄部
２  網
２ａ  網枠
２ｂ  ヒンジ
３  鍔部材
３ａ  歯型
３ｂ  鍔
４  スリーブ
５  鉤部材
５ａ  鉤
５ｂ  歯
５ｃ  逃げ面
５ｄ  ガイド孔
６  ロック部材
６ａ  ガイド部
６ｂ  長孔
６ｃ  逃げ面
６ｄ  段差
６ｅ  凹部
７  ブラケット部材
７ａ  ブラケット部
７ｂ  ベース面
７ｃ  筒部
８  スリーブ
９  引掛け片
１０  枢着軸
１１  枢着孔
１２  ねじりばね
１２ａ  凹部
１３  位置決めボール
１４  コイルばね
１４ａ  穴
２０  折り畳み機構部
２１  柄連結部材
２１ａ  傾斜カム面
２１ｂ  回動軸
２１ｃ  軸部
２２  枠連結部材
２２ａ  アーム部
２３  コイルばね
２４  ロック部材
【図１】
0004728863.tif 000002
【図２】
0004728863.tif 000003
【図３】
0004728863.tif 000004
【図４】
0004728863.tif 000005
【図５】
0004728863.tif 000006
【図６】
0004728863.tif 000007
【図７】
0004728863.tif 000008
【図８】
0004728863.tif 000009